(57)【要約】【課題】インターネット等に接続されたパソコン上に実現できる、リアルタイムの臨場感に優れたビンゴゲームを行なうことができるビンゴゲーム端末装置を提供する【解決手段】ビンゴゲーム提供用のサーバ２を備えるコンピュータネットワークＮに接続され、表示器と入力器とを備えるビンゴゲーム端末装置１であって、表示器は、サーバ２によって用意されたビンゴ用紙を表示する第１表示部と、サーバ２から所定回数まで順次送られてくるビンゴ番号を順次表示する第２表示部と、ビンゴが成立するまでのビンゴ番号の表示回数と選択された用紙上でビンゴが成立した列数とに応じた得点を表示する第３表示部と、を備え、入力器は、複数のビンゴ用紙から一つを選択したことをサーバ２に報知する第１入力部と、選択されたビンゴ用紙上のビンゴ番号のうち第１表示部に表示されたビンゴ番号と一致するものを選択したことをサーバ２に報知する第２入力部と、ビンゴの成立を宣言してこれをサーバ２に報知する第３入力部と、を備える。【選択図】        図１
2012024503.tif 000002
【特許請求の範囲】
【請求項１】
ビンゴゲーム提供用のサーバを備えるコンピュータネットワークに接続され、表示器と入力器とを備えるビンゴ遊技端末装置であって、前記表示器は、前記サーバによって用意されたビンゴ用紙を表示する第１表示部と、前記サーバから所定回数まで順次送られてくるビンゴ番号を順次表示する第２表示部と、ビンゴが成立するまでのビンゴ番号の表示回数と選択された用紙上でビンゴが成立した列数とに応じた得点を表示する第３表示部と、を備え、前記入力器は、複数のビンゴ用紙から一つを選択したことを前記サーバに報知する第１入力部と、選択されたビンゴ用紙上のビンゴ番号のうち前記第１表示部に表示されたビンゴ番号と一致するものを選択したことを前記サーバに報知する第２入力部と、ビンゴの成立を宣言してこれを前記サーバに報知する第３入力部と、を備えるビンゴ遊技端末装置。
【請求項２】
前記表示器は、前記サーバによって用意された景品を表示する第４表示部をさらに備え、前記入力器は、第４表示部で表示された景品のうちから所望の景品を選択する第４入力部をさらに備える請求項１に記載のビンゴ遊技端末装置。
【請求項３】
コンピュータに、請求項１又は２に記載のビンゴ端末装置を実現させるためのプログラム。
【発明の詳細な説明】
【技術分野】
【０００１】
本発明はビンゴゲーム端末装置に関し、特にインターネットを利用して手軽にビンゴを楽しむことができるビンゴゲーム端末装置に関する。
【背景技術】
【０００２】
特許文献１には、ネットワーク携帯電話端末よりインターネットを利用してビンゴゲームを行なうものが示されており、本特許文献においてはゲーム参加者間の公平を担保するために、数値情報を付加して暗号化したビンゴ番号を各ゲーム参加者の携帯電話端末へ送信するようにしている。
【先行技術文献】
【特許文献】
【０００３】
【特許文献１】特開２００６−１４９９８３
【発明の概要】
【発明が解決しようとする課題】
【０００４】
しかし、上記特許文献１に示されたビンゴゲーム端末装置は携帯電話端末を利用したものであるため、画面の大きさに限度があり、また通信速度も遅いために、リアルタイムでのビンゴゲームの臨場感に欠けるという問題があった。
【０００５】
そこで、本発明はこのような課題を解決するもので、インターネット等に接続されたパソコン上に実現できる、リアルタイムで臨場感に優れたビンゴゲームを行なうことができるビンゴゲーム端末装置を提供することを目的とする。
【課題を解決するための手段】
【０００６】
上記目的を達成するために、本第１発明では、ビンゴゲーム提供用のサーバ（２）を備えるコンピュータネットワーク（Ｎ）に接続され、表示器と入力器とを備えるビンゴゲーム端末装置（１）であって、前記表示器は、前記サーバ（２）によって用意されたビンゴ用紙を表示する第１表示部（３１）と、前記サーバ（２）から所定回数まで順次送られてくるビンゴ番号を順次表示する第２表示部（３２）と、ビンゴが成立するまでのビンゴ番号の表示回数と選択された用紙上でビンゴが成立した列数とに応じた得点を表示する第３表示部（４１）と、を備え、前記入力器は、複数のビンゴ用紙から一つを選択したことを前記サーバ（２）に報知する第１入力部（３６）と、選択されたビンゴ用紙上のビンゴ番号のうち前記第１表示部（３１）に表示されたビンゴ番号と一致するものを選択したことを前記サーバ（２）に報知する第２入力部（４３）と、ビンゴの成立を宣言してこれを前記サーバ（２）に報知する第３入力部（４２）と、を備える。
【０００７】
本第１発明よれば、ビンゴゲーム端末装置はコンピュータネットワークを介してビンゴゲーム提供用のサーバに接続されており、かつビンゴゲーム端末装置は第１〜第３表示部からなる表示器と第１〜第３入力部からなる入力器を備えているから、リアルタイムでの臨場感に優れたビンゴゲームを行なうことが可能である。
【０００８】
本第２発明では、前記表示器は、前記サーバ（２）によって用意された景品を表示する第４表示部（６１）をさらに備え、前記入力器は、第４表示部（６１）で表示された景品のうちから所望の景品を選択する第４入力部（６２）をさらに備える。本第２発明によれば、第４表示部と第４入力部を備えることによって、所望の景品を速やかに選択することができる。
【０００９】
本第３発明は、コンピュータに、本第１発明又は本第２発明に記載のビンゴ端末装置を実現させるためのプログラムである。
【００１０】
上記カッコ内の符号は、後述する実施形態に記載の具体的手段との対応関係を示すものである。
【発明の効果】
【００１１】
以上のように、本発明のビンゴゲーム端末装置はインターネット等に接続されたパソコン上に実現されて、リアルタイムの臨場感に優れたビンゴゲームを行なうことができる。
【図面の簡単な説明】
【００１２】
【図１】ビンゴゲーム端末装置を実現するコンピュータネットワークの概略図である。
【図２】ビンゴゲーム端末装置のモニタ上に表示されるゲーム画面の、初期画面の正面図である。
【図３】ビンゴゲーム端末装置のモニタ上に表示されるゲーム画面の、ゲーム実行中の正面図である。
【図４】ビンゴゲーム端末装置のモニタ上に表示されるゲーム画面の、ゲーム実行中の正面図である。
【図５】ビンゴゲーム端末装置のモニタ上に表示されるゲーム画面の、ゲーム実行中の正面図である。
【図６】ビンゴゲーム端末装置のモニタ上に表示されるゲーム画面の、ゲーム実行中の正面図である。
【図７】ビンゴゲーム端末装置のモニタ上に表示されるゲーム画面の、ゲーム実行中の正面図である。
【図８】ビンゴゲーム端末装置のモニタ上に表示されるゲーム画面の、ゲーム実行中の正面図である。
【図９】ビンゴゲーム端末装置のモニタ上に表示されるゲーム画面の、ゲーム実行中の正面図である。
【図１０】ビンゴゲーム端末装置のモニタ上に表示されるゲーム画面の、ゲーム実行中の正面図である。
【図１１】ビンゴゲーム端末装置のモニタ上に表示されるゲーム画面の、ゲーム実行中の正面図である。
【図１２】ビンゴゲーム端末装置のモニタ上に表示されるゲーム画面の、ゲーム実行中の正面図である。
【図１３】ビンゴゲーム端末装置のモニタ上に表示されるゲーム画面の、ゲーム実行中の正面図である。
【図１４】ビンゴゲーム端末装置のモニタ上に表示されるゲーム画面の、ゲーム実行中の正面図である。
【図１５】ビンゴゲーム端末装置のモニタ上に表示されるゲーム画面の、成績確認中の正面図である。
【図１６】ビンゴゲーム端末装置のモニタ上に表示されるゲーム画面の、成績確認中の正面図である。
【図１７】ビンゴゲーム端末装置のモニタ上に表示されるゲーム画面の、今週の景品選択中の正面図である。
【図１８】ビンゴゲーム端末装置のモニタ上に表示されるゲーム画面の、今週の景品選択中の正面図である。
【図１９】ビンゴゲーム端末装置のモニタ上に表示されるゲーム画面の、先週の景品確認中の正面図である。
【図２０】ビンゴゲーム端末装置のモニタ上に表示されるゲーム画面の、先週の景品確認中の正面図である。
【図２１】ビンゴゲーム端末装置のモニタ上に表示されるゲーム画面の、先週の景品確認中の正面図である。
【発明を実施するための形態】
【００１３】
本発明のビンゴゲーム端末装置は図１に示すように、コンピュータネットワークとしてのインターネットＮに接続された多数のゲーム参加者のパソコン１上に実現される。すなわち、ゲーム参加者はビンゴゲーム提供用のサーバ２のホームページにアクセスすることによって、表示器と入力器を兼ねるパソコン１のモニタ上にブラウザによって、以下に説明するようなビンゴゲーム画面を取得することができ、これ以後、パソコン１はビンゴゲーム端末装置として機能することになる。
【００１４】
図２はビンゴゲーム画面（以下、単にゲーム画面という）の初期画面である。図２において、ゲーム画面の右半部は５行５列のビンゴ用紙を表示する表示部（第１表示部）３１となっている。また、ゲーム画面の中央部はビンゴ番号（数字）を順次表示する表示部（第２表示部）３２となっている。ゲーム画面の左半部のうち、上半は待機状態ではコマーシャル表示を行い、ゲーム状態ではビンゴ番号（数字）の一時表示を行ない、ゲーム終了後にはゲーム結果を表示する表示部３３となっている。ビンゴ番号は必ずしも数字である必要は無く、絵柄等であっても良い。なお、ゲーム参加は誰でも可能であるが、後述する景品選択を行なうには上記ホームページ上でログインを行なう必要がある。
【００１５】
表示部３１の上方には左右位置に、三角形のビンゴ用紙めくり用の入力部３４，３５が設けられており、これら入力部３４，３５の中央にはビンゴ用紙を選択する入力部（第１入力部）３６が設けられている。入力部３６の上方には、今週の成績表示を行なうための入力部３７、今週の景品表示を行なうための入力部３８、先週の景品表示を行なうための入力部３９がそれぞれ設けられている。
【００１６】
（ビンゴゲームの実行）
ゲームに参加する場合には、ゲーム画面の左上部に表示された（図３）サーバで指示される参加受付時間内に入力部３４，３５を選択的にクリックしてビンゴ用紙を左右にめくり、適当なビンゴ用紙を、入力部３６をクリックすることによって選択する（図４）。選択すると、ビンゴ用紙の中心にあるフリー（ＦＲＥＥ）スポットの表示色が変化し、同時に入力部３４〜３６（図３参照）はゲーム画面上から消えて、この部分に「ゲーム開始まで、しばらくお待ち下さい。」の表示がなされる。なお、この参加受付時間は待機時間の一種である。
【００１７】
参加受付が締め切られると（図５）、続いてゲーム開始待機時間となる（図６）。この待機時間の間にサーバはゲーム参加者の登録手続を、先に行なったログイン情報に基づいて行なう。ゲーム開始直前になると（図７）、表示部３２における以前のビンゴ番号表示がリセットされる。
【００１８】
ゲームが開始されると（図８）ゲーム画面の左半部下半に新たな表示部（第３表示部）４１が現れ、表示部４１では、ビンゴが成立するまでの数字の表示回数（抽選回数）に応じた得点と、選択された用紙上でビンゴ（ＢＩＮＧＯ）が成立した列数に応じた得点とが表示される。これらの和がゲームの総得点となる。この時同時に表示部３１の上方に、ビンゴ成立の表示部を兼ねたビンゴ成立を宣言する入力部（第３入力部）４２が現れる。またこの状態で、表示部３１に表示されたビンゴ用紙上の、表示色が濃く変化した５行５列の各数字部分４３は、表示部３３に順次表示されるビンゴ番号と一致するものを選択するための入力部（第２入力部）となっている。
【００１９】
ゲーム中は一定時間間隔で表示部３３に大きくビンゴの数字が一時的に表示され（図１０参照）、この数字は表示された順に表示部３２内に移って積層状態で表示される（図９）。表示部３２，３３に表示された数字と一致するビンゴ用紙上の入力部４３をクリックすると、入力部４３の表示色が変化してその選択が確認できる。ビンゴ用紙上の数字が列状にすべて選択されていわゆる「ビンゴ」状態になると、入力部４２に「ＢＩＮＧＯ！」の表示がなされる（図１０）。入力部４２をクリックすると、ここまでの抽選回数とビンゴ成立の列数に応じた総得点（ポイント）が表示されるとともに（図１１）当該総得点が確定される。
【００２０】
入力部４２のクリックはゲーム終了後（図１２）もビンゴ受付時間の終了まで行なうことができる。ビンゴ受付時間が過ぎるとサーバで集計作業が開始される（図１３）。なお、先のビンゴ受付時間と集計作業時間は待機時間の一種である。集計作業中はビンゴ当選者が登録されるとともに、ゲーム結果が集計される。集計作業が終了すると、表示部３３にゲーム結果が表示される（図１４）。
【００２１】
図２〜図１４を参照しつつ説明した上述の過程をサーバは一定時間で繰り返しており、ゲームへの参加意思のある者は、図３のゲーム画面が表示されている参加受付時間内に入力部３４，３５を選択的にクリックしてビンゴ用紙を左右にめくり、適当なビンゴ用紙を、入力部３６をクリックして選択することによって、ビンゴゲームに参加することになる。
【００２２】
（成績の確認）
図２に示すゲーム画面において、今週の成績表示の入力部３７をクリックすると、ビンゴ用紙を表示する表示部３１に代えて、図１５に示すように、成績を表示する表示部５１が現れる。表示部５１では現在までの得点（ポイント）合計と、過去の各ゲーム参加時の獲得ポイントが一覧表示される。表示部５１の各欄は、ポイント獲得の詳細を表示させるための入力部５２ともなっており、表示部５２をクリックすることによって、図１６に示すようにポイント獲得時の詳細内容が表示される。
【００２３】
（今週の景品の選択）
図２に示すゲーム画面において、今週の景品表示の入力部３８をクリックすると、ビンゴ用紙を表示する表示部３１に代えて、図１７に示すように、今週の景品の一覧を表示する表示部（第４表示部）６１が現れる。表示部６１の景品一覧中には、希望景品を選択するための入力部（第４入力部）６２が設けられており、入力部６２をクリックすることによって、図１８に示すように、選択した景品が希望景品欄６３に移動表示される。サーバ２は週末毎に、各希望景品について獲得ポイントの多い順に所定数のゲーム参加者を特定し、各ゲーム参加者の登録住所宛に景品を配送するように景品提供企業へ報知する。なお、ゲーム参加者の獲得ポイントは各週末でリセットされる。
【００２４】
（先週の景品の確認）
図２に示すゲーム画面において、先週の景品表示の入力部３９をクリックすると、ビンゴ用紙を表示する表示部３１に代えて、図１９に示すように、当該ゲーム参加者が希望景品として選択した、先週の景品の一覧を表示する表示部７１が現れる。表示部７１の各覧は、景品獲得の有無を確認表示させるための入力部７２ともなっており、各入力部７２をクリックすることによって、図２０、図２１に示すように、景品獲得者名（ハンドルネーム）が表示されるとともに、希望した景品が獲得できたか否かが希望景品欄７３に表示される。図２０は希望景品が獲得できた場合、図２１は希望景品が獲得できなかった場合を示す。
【符号の説明】
【００２５】
１…パソコン（ビンゴゲーム端末装置）、２…サーバ、３１，３２，４１，６１…表示部、３６，４２，４３，６２…入力部、Ｎ…インターネット（コンピュータネットワーク）。
【図１】
2012024503.tif 000003
【図２】
2012024503.tif 000004
【図３】
2012024503.tif 000005
【図４】
2012024503.tif 000006
【図５】
2012024503.tif 000007
【図６】
2012024503.tif 000008
【図７】
2012024503.tif 000009
【図８】
2012024503.tif 000010
【図９】
2012024503.tif 000011
【図１０】
2012024503.tif 000012
【図１１】
2012024503.tif 000013
【図１２】
2012024503.tif 000014
【図１３】
2012024503.tif 000015
【図１４】
2012024503.tif 000016
【図１５】
2012024503.tif 000017
【図１６】
2012024503.tif 000018
【図１７】
2012024503.tif 000019
【図１８】
2012024503.tif 000020
【図１９】
2012024503.tif 000021
【図２０】
2012024503.tif 000022
【図２１】
2012024503.tif 000023